(57)【要約】      （修正有）【課題】外部表示インタフェースしか持たない電子機器において、内部表示インタフェースに向けて信号を変換して出力し、内部表示装置に画像や映像を表示することができる情報処理装置を提供する。【解決手段】内部表示インタフェースを持たない情報処理装置において、マザーボード２０に搭載されるＰＣＩエクスプレスコネクタ３１と、各種の表示インタフェース信号を変換する変換手段を内蔵すると共に、外部表示装置４０と接続する外部表示インタフェースと内部表示装置１０と接続する内部表示インタフェースとを有し、ＰＣＩエクスプレスコネクタに取り付け可能な拡張カード３０と、を具備し、ＰＣＩエクスプレスコネクタからの画像信号もしくは映像信号を拡張カードを介して外部表示装置および内部表示装置へ送信する。【選択図】図１
0003191027.tif 000002
【実用新案登録請求の範囲】
【請求項１】
内部表示インタフェースを持たない情報処理装置において、
マザーボードに搭載されるＰＣＩエクスプレスコネクタと、
各種の表示インタフェース信号を変換する変換手段を内蔵すると共に、外部表示装置と接続する外部表示インタフェースと内部表示装置と接続する内部表示インタフェースとを有する前記ＰＣＩエクスプレスコネクタに取り付け可能な拡張カードと、
を具備し、
前記ＰＣＩエクスプレスコネクタからの画像信号もしくは映像信号を前記拡張カードを介して前記外部表示装置および前記内部表示装置へ送信することを特徴とする情報処理装置。
【請求項２】
前記変換手段は、前記内部表示装置に対しＬＶＤＳインタフェース又はＴＭＤＳインタフェースに変換するものである請求項１に記載の情報処理装置。
【請求項３】
前記外部表示インタフェースからホットプラグ検出信号を受信したとき、前記外部表示インタフェースおよび前記内部表示インタフェースをアクティブにするスイッチ手段をさらに有することを特徴とする請求項１に記載の情報処理装置。
【請求項４】
前記ＰＣＩエクスプレスコネクタの未使用端子にＤＶＩ標準インタフェース信号が接続されることを特徴とする請求項１に記載の情報処理装置。
【考案の詳細な説明】
【技術分野】
【０００１】
本発明の実施形態は、情報処理装置に関し、特に内部表示インタフェースを有さない情報処理装置に関する。
【背景技術】
【０００２】
情報処理装置における従来の表示技術は、液晶表示装置等の内部表示装置に画像信号もしくは映像信号を出力する際には、ＬＶＤＳ（Low Voltage Differential Signal）インタフェースや、ＴＭＤＳ（Transition Minimized Differential Signaling）インターフェースといった、内部表示のための専用インタフェースを用いなければ、画像もしくは映像を出力できないものであった。
例えば、特開２００５-１０７１２３号公報に開示されたような表示装置を備えた電子機器（ノートＰＣ）では、外部からの映像信号を受信し、液晶表示パネルとＣＲＴビデオ出力とをスィッチ回路を用いて切り替えることができ、表示専用インタフェースを用いて前記液晶表示パネルとＣＲＴビデオ出力に画像信号もしくは映像信号を出力する構成が既に存在している。
【０００３】
一方、デスクトップ型コンピュータでは、内部表示専用インタフェース（ＬＶＤＳ/ＴＭＤＳ）を持っていないため、内部表示装置に直接画像信号もしくは映像信号を出力することができなかった。
【０００４】
このような事情から、内部表示のための表示専用インタフェース（ここでは、映像入力コネクタ）を持たなければ、デスクトップ型コンピュータは液晶表示装置等の内部表示装置に画像信号もしくは映像信号を出力することができず、またスイッチ回路を用いて外部の表示装置に画像信号もしくは映像信号を出力することができなかった。
【０００５】
また、デスクトップ型コンピュータでは外部表示装置への表示接続を前提に構成されているので、内部表示装置を実装するためには、そのマザーボードにおいて、筐体と一体化した表示装置を取り付ける要求がある。その要求に応えるには、表示装置との接続には内部表示専用インタフェースを含む様々な仕様のインタフェースを用意して、その専用コネクタを装備すると共に、接続したい表示インタフェースに切り替える機構が必要になり、基板上に専用コネクタを複数実装する必要がある。このため、部品コストの上昇、基板面積の占有と共に検査項目や設備の増加、検査時間が長く必要になるコストの上昇が問題となる。さらには接続ケーブルの引き回しによる外観上の制限が生じる。
【先行技術文献】
【特許文献】
【０００６】
【特許文献１】特開２００５ー１０７１２３号公報
【特許文献２】特開２０００ー４４１０号公報
【考案の概要】
【考案が解決しようとする課題】
【０００７】
内部表示インタフェースを有さない電子機器に内部表示装置を接続しようとすると、基板上に様々な仕様の表示インタフェース専用コネクタを複数実装する必要がある。このため、部品コストの上昇、基板面積の占有と共に検査項目や設備の増加、検査時間が長く必要になるコストの上昇が問題となる。
本発明が解決しようとする課題は、内部表示インタフェースを有さず、外部表示インタフェースしか持たない情報処理装置において、各種表示用のインタフェースに信号を変換して多種多様な表示装置に画像や映像を表示することができる情報処理装置を提供することにある。
【課題を解決するための手段】
【０００８】
上記課題を達成するために、実施形態の情報処理装置は、内部表示インタフェースを持たない情報処理装置において、  マザーボードに搭載されるＰＣＩエクスプレスコネクタと、各種の表示インタフェース信号を変換する変換手段を内蔵すると共に、外部表示装置と接続する外部表示インタフェースと内部表示装置と接続する内部表示インタフェースとを有する前記ＰＣＩエクスプレスコネクタに取り付け可能な拡張カードと、を具備し、前記ＰＣＩエクスプレスコネクタからの画像信号もしくは映像信号を前記拡張カードを介して前記外部表示装置および前記内部表示装置へ送信することを特徴とする。
【考案の効果】
【０００９】
本実施形態によれば、内部表示インタフェースを持たない情報処理装置であっても、コストを最小限にして、各種表示用のインタフェースに信号を変換して多種多様な外部および内部表示装置に画像や映像を表示することができる。
【図面の簡単な説明】
【００１０】
【図１】実施形態に係る内部表示インタフェースを有さない電子機器に内部表示機能を実現するシステムの斜視図である。
【図２】第２の実施形態の電子機器の構成を示すブロック図である。
【考案を実施するための形態】
【００１１】
以下、図面を参照して本発明の実施形態に係る情報処理装置を説明する。
本発明の実施形態に係る情報処理装置を図１を参照して説明する。図１は、本実施形態に係る情報処理装置に適用されるマザーボードの構成を示す図であり、内部表示インタフェースを有さない電子機器のマザーボード２０に、内部表示機能を実現するシステムの斜視図である。
【００１２】
図１に示すように、電子機器のマザーボード２０には、内部表示インタフェースを持っていないため、内部表示装置１０を接続可能するためにＰＣＩエクスプレスコネクタ３１が設置されている。そして、前記ＰＣＩエクスプレスコネクタ３１に各種の表示インタフェース機能を内蔵する拡張カード３０を接続する構成とする。前記拡張カード３０がもつ第１の表示インタフェースは、外部表示インタフェースである。その外部表示インタフェースに外部ケーブルを伴って外部表示装置４０が接続されている。さらに、前記拡張カード３０がもつ第２のインタフェースは、内部表示インタフェースである。例えば、ＬＶＤＳおよびＴＭＤＳの内部表示インタフェースに内部ケーブルを伴って内部表示装置１０が接続されている。前記マザーボード２０をもつ電子機器には、前記マザーボード以外に内部表示インタフェースを搭載させる必要がなく、内部表示装置１０と外部表示装置４０に画像信号や映像信号を送信することができる。
【００１３】
したがって、第１の実施形態であるマザーボード２０を搭載することで、内部表示機能を実現することができる。しかも、マザーボード２０にＰＣＩエクスプレスコネクタ３１と、このコネクタ３１に接続される各種の表示インタフェース機能を内蔵する拡張カード３０を接続する簡単な構成で実現できるため、コストが最小限に抑えることができる。
【００１４】
第１の実施形態の変形例として、ＰＣＩエクスプレスコネクタ３１のインタフェースを実装するコネクタにある未使用端子に、ＤＶＩ（Digital Visual Interface）標準インタフェース信号を接続するものであっても良い。なお、未使用端子が無ければ、ＰＣＩエクスプレスコネクタ３１と同列に、拡張用の数ピンのコネクタを配列してＤＶＩ標準インタフェースを接続するようにしても良い。このような拡張方法を採用すると、小型の表示用インタフェースモジュール基板を実現するために、汎用接続構造と汎用基板固定方法を採用することが可能となる。また、汎用バスからの変換回路の制御が可能となる。さらには、マザーボード２０に搭載される回路の初期化や、同回路の動作変更などの機能をソフトウェアから制御可能となる。各種表示装置１０，４０に対しては、色変換の調整や、輝度、コントラストの調整、表示のＯＮＯＦＦ、あるいは、タッチパネル機能の追加の操作機構を、汎用バスからのソフトウェア制御が可能となる。
【００１５】
図２は、実施形態に係る情報処理装置の表示回路のブロック図である。前記マザーボード２０のＰＣＩエクスプレスコネクタ３１に差し込む拡張カード３０は、ＰＣＩエクスプレス５０、ＬＶＤＳ/ＴＭＤＳ変換部９０、内部表示インタフェース１００及び外部表示インタフェース６０、スイッチＩＣ８０、トランジスタ７０などを具備している。スイッチＩＣ８０は、外部表示インタフェース６０から出力されるホットプラグ検出信号(以下、ＨＰＤ信号という)がトランジスタ７０に入力されたときに発生する切り替え信号を受信して、外部表示装置４０と内部表示装置１００に向けて画像信号もしくは映像信号を出力するよう動作する。ＨＰＤ信号は、ＤｉｓｐｌａｙＰｏｒｔに接続する外部表示装置４０の信号を用いる。
【００１６】
次に、図２の動作を説明する。
スイッチＩＣ８０は、外部表示装置４０が外部表示インタフェース６０に接続されているので、外部表示インタフェース６０にて前記ＨＰＤ信号を検出すると、同信号を受信したトランジスタ７０からの切り替え信号により、外部表示インタフェース６０と内部表示インタフェース１００をアクティブにして、外部表示装置４０と内部表示装置１０に向けて画像信号もしくは映像信号を出力制御することができる。なお、スイッチＩＣ８０は、前記ＨＰＤ信号が検出されなければ、内部表示インタフェース１００だけをアクティブして、内部表示装置１０に向けて画像信号もしくは映像信号を出力制御する。
【００１７】
即ち、内部表示装置１０に対しては、マザーボード２０に搭載される図示しない表示制御部からＰＣＩエクスプレスコネクタ５０、スイッチＩＣ８０、ＬＶＤＳ/ＴＭＤＳ変換部９０、内部表示インタフェース１００を経由して画像信号もしくは映像信号が出力される。一方、外部表示装置４０に対しては、ＰＣＩエクスプレスコネクタ５０、スイッチＩＣ８０、外部表示インタフェース６０を経由して画像信号もしくは映像信号が出力される。ＬＶＤＳ/ＴＭＤＳ変換部９０では、ＰＣＩエクスプレスコネクタ５０からの画像信号もしくは映像信号に応じて、ＬＶＤＳ変換又はＴＭＤＳ変換が行われる。
【００１８】
このように本実施形態によれば、外部表示インタフェースしか持たない情報処理装置において、内部表示装置を接続して、安いコストで外部表示装置および内部表示装置に各種の表示インタフェースに信号を変換して多種多様な画像や映像を表示することができる。
【００１９】
本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００２０】
１０…内部表示装置、２０…マザーボード、３０…拡張カード、３１…ＰＣＩエクスプレスコネクタ、４０…外部表示装置、５０…ＰＣＩエクスプレスコネクタ、６０…外部表示インタフェース、７０…トランジスタ、８０…スイッチＩＣ、９０…ＬＶＤＳ/ＴＭＤＳ変換装置、１００…内部表示インタフェース
【図１】
0003191027.tif 000003
【図２】
0003191027.tif 000004